【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
吸気口と排気口を連通する空気通路と、前記吸気口から外気を本体内に吸引し内部を冷却した後に前記排気口より排気するための送風機と、前記空気通路を横断して配されると共に前記吸気口から取り入れられる前記外気に含まれた塵埃等を捕集するエアーフィルターと、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、前記エアーフィルターに付着した塵埃を除去する除塵体と、該除塵体により除去された塵埃を収納する塵埃収納部と、前記除塵体及び／又は前記エアーフィルターを回転又は移動させる駆動手段とを備え、前記除塵体は、前記空気通路の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端が前記塵埃収納部側に位置するように傾斜させたことを特徴とするプロジェクター装置。
【請求項２】
除塵体又は／及び塵埃収納部を有する塵埃収納ケースを、プロジェクター装置本体に着脱自在に設けた請求項１に記載のプロジェクター装置。
【請求項３】
吸気口と排気口を連通する空気通路と、前記吸気口から外気を本体内に吸引し内部を冷却した後に前記排気口より排気するための送風機と、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、エアーフィルター清掃機構とを備え、前記エアーフィルター清掃機構は、前記吸気口の近傍で前記空気通路の途中に配される通気通路部と、前記通気通路部を横断して配されると共に前記吸気口から取り入れられる前記外気に含まれた塵埃等を捕集するエアーフィルターと、前記エアーフィルターに付着した塵埃を除去する除塵体と、該除塵体により除去された塵埃を収納する塵埃収納部と、前記除塵体及び／又は前記エアーフィルターを回転又は移動させる駆動手段とを設け、前記除塵体は、前記通気通路部の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端が前記塵埃収納部側に位置するように傾斜させたことを特徴とするプロジェクター装置。
【請求項４】
エアーフィルター清掃機構を、プロジェクター装置本体に着脱自在に設けた請求項３に記載のプロジェクター装置。
【請求項５】
吸気口と排気口間の通過空気の温度又は圧力、或いはプロジェクター装置の積算運転時間に応じて、エアーフィルターを所定角度回転又は所定距離移動させることを特徴とする請求項１〜４のいずれか１項に記載のプロジェクター装置。
【手続補正２】
【補正対象書類名】明細書
【補正対象項目名】０００９
【補正方法】変更
【補正の内容】
【０００９】
上記従来の課題を解決するために、本発明のプロジェクター装置は、吸気口と排気口を連通する空気通路と、前記吸気口から外気を本体内に吸引し内部を冷却した後に前記排気口より排気するための送風機と、前記空気通路を横断して配されると共に前記吸気口から取り入れられる前記外気に含まれた塵埃等を捕集するエアーフィルターと、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、前記エアーフィルターに付着した塵埃を除去する除塵体と、該除塵体により除去された塵埃を収納する塵埃収納部と、前記除塵体及び／又は前記エアーフィルターを回転又は移動させる駆動手段とを備え、前記除塵体は、前記空気通路の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端が前記塵埃収納部側に位置するように傾斜させたことを特徴としているので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【手続補正３】
【補正対象書類名】明細書
【補正対象項目名】００１０
【補正方法】変更
【補正の内容】
【００１０】
また、除塵ブラシ及び／又は除去ブラシの先端が塵埃収納部側に位置するように傾斜させているので、除塵ブラシや除去ブラシに付着した塵埃が確実に塵埃収納部側に移動することになり、一旦除去された塵埃がエアーフィルターに再付着することが無い。
【手続補正４】
【補正対象書類名】明細書
【補正対象項目名】００１４
【補正方法】変更
【補正の内容】
【００１４】
また、本発明のプロジェクター装置は、吸気口と排気口を連通する空気通路と、前記吸気口から外気を本体内に吸引し内部を冷却した後に前記排気口より排気するための送風機と、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、エアーフィルター清掃機構とを備え、前記エアーフィルター清掃機構は、前記吸気口の近傍で前記空気通路の途中に配される通気通路部と、前記通気通路部を横断して配されると共に前記吸気口から取り入れられる前記外気に含まれた塵埃等を捕集するエアーフィルターと、前記エアーフィルターに付着した塵埃を除去する除塵体と、該除塵体により除去された塵埃を収納する塵埃収納部と、前記除塵体及び／又は前記エアーフィルターを回転又は移動させる駆動手段とを設け、前記除塵体は、前記通気通路部の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端が前記塵埃収納部側に位置するように傾斜させたことを特徴とするもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【手続補正５】
【補正対象書類名】明細書
【補正対象項目名】００１５
【補正方法】変更
【補正の内容】
【００１５】
また、除塵ブラシ及び／又は除去ブラシの先端が塵埃収納部側に位置するように傾斜させているので、除塵ブラシや除去ブラシに付着した塵埃が確実に塵埃収納部側に移動することになり、一旦除去された塵埃がエアーフィルターに再付着することが無い。
【手続補正６】
【補正対象書類名】明細書
【補正対象項目名】００２０
【補正方法】変更
【補正の内容】
【００２０】
第１の発明は、吸気口と排気口を連通する空気通路と、前記吸気口から外気を本体内に吸引し内部を冷却した後に前記排気口より排気するための送風機と、前記空気通路を横断して配されると共に前記吸気口から取り入れられる前記外気に含まれた塵埃等を捕集するエアーフィルターと、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、前記エアーフィルターに付着した塵埃を除去する除塵体と、該除塵体により除去された塵埃を収納する塵埃収納部と、前記除塵体及び／又は前記エアーフィルターを回転又は移動させる駆動手段とを備え、前記除塵体は、前記空気通路の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端が前記塵埃収納部側に位置するように傾斜させたことを特徴とするもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【手続補正７】
【補正対象書類名】明細書
【補正対象項目名】００２１
【補正方法】変更
【補正の内容】
【００２１】
また、除塵ブラシ及び／又は除去ブラシの先端が塵埃収納部側に位置するように傾斜させているので、除塵ブラシや除去ブラシに付着した塵埃が確実に塵埃収納部側に移動することになり、一旦除去された塵埃がエアーフィルターに再付着することが無い。
【手続補正８】
【補正対象書類名】明細書
【補正対象項目名】００２６
【補正方法】変更
【補正の内容】
【００２６】
第３の発明は、吸気口と排気口を連通する空気通路と、前記吸気口から外気を本体内に吸引し内部を冷却した後に前記排気口より排気するための送風機と、光源ランプ等より成る画像表示素子体と、前記画像表示素子体からの画像を拡大投射可能に設けられたレンズ等より成る投射体と、前記画像表示素子体と前記投射体を制御する電子部品等より成る制御体と、エアーフィルター清掃機構とを備え、前記エアーフィルター清掃機構は、前記吸気口の近傍で前記空気通路の途中に配される通気通路部と、前記通気通路部を横断して配されると共に前記吸気口から取り入れられる前記外気に含まれた塵埃等を捕集するエアーフィルターと、前記エアーフィルターに付着した塵埃を除去する除塵体と、該除塵体により除去された塵埃を収納する塵埃収納部と、前記除塵体及び／又は前記エアーフィルターを回転又は移動させる駆動手段とを設け、前記除塵体は、前記通気通路部の外方に配されると共に前記エアーフィルターの上流面に当接し前記エアーフィルターに付着した塵埃を除去する除塵ブラシと、前記除塵ブラシに付着した塵埃を除去する除去ブラシとからなり、前記除塵ブラシ及び／又は前記除去ブラシの先端が前記塵埃収納部側に位置するように傾斜させたことを特徴とするもので、除塵体を、除塵ブラシと除去ブラシで構成し、エアーフィルターに付着した塵埃をまず除塵ブラシで除去し、その除塵ブラシに付着した塵埃を除去ブラシで除去することで、プロジェクター装置内でエアーフィルターがどのような向きで配置されていても、エアーフィルターに付着した塵埃を確実に除去することが出来る。
【手続補正９】
【補正対象書類名】明細書
【補正対象項目名】００２７
【補正方法】変更
【補正の内容】
【００２７】
また、除塵ブラシ及び／又は除去ブラシの先端が塵埃収納部側に位置するように傾斜させているので、除塵ブラシや除去ブラシに付着した塵埃が確実に塵埃収納部側に移動することになり、一旦除去された塵埃がエアーフィルターに再付着することが無い。